(57)【要約】【課題】  ＩＣタグをアフターケア時あるいは再生時の情報収集に利用することにより、情報収集の簡略化、コストダウンを図る。【解決手段】  製品Ｍの適所に、ＩＣタグ１を設けるとともに、該ＩＣタグ１に、ユーザの使用情報を記憶する記憶手段を付設して、アフターケア時等に製品Ｍがメーカーへ返却された時に前記使用情報を適当な読み取り器で読み出すだけで、ユーザの使用情報を収集蓄積することができるようにしている。【選択図】        図２
2005168965.tif 000002
【特許請求の範囲】
【請求項１】
製品の適所には、ＩＣタグを設けるとともに、該ＩＣタグには、ユーザの使用情報を記憶する記憶手段を付設したことを特徴とする家庭用機器。
【請求項２】
メーカーへの返却用手段には、ＩＣタグを設けるとともに、該ＩＣタグには、ユーザの使用情報を記憶する記憶手段を付設したことを特徴とする家庭用機器。
【請求項３】
製品とＩＣタグとを同梱するとともに、該ＩＣタグには、地域情報を記憶する記憶手段を付設したことを特徴とする電気貯湯容器。
【請求項４】
製品とＩＣタグとを同梱するとともに、該ＩＣタグには、販売店情報を記憶する記憶手段を付設したことを特徴とする電気貯湯容器。
【請求項５】
製品の付属部品であって再利用可能な部品には、ＩＣタグを設けるとともに、該ＩＣタグには、再生回数を記憶する記憶手段を付設したことを特徴とする家庭用機器。
【発明の詳細な説明】
【技術分野】
【０００１】
本願発明は、家庭用機器に関するものであり、さらに詳しくは、製品識別用のＩＣタグをアフターケア時あるいは再生時における情報収集用として利用し得るように構成した家庭用機器に関するものである。
【背景技術】
【０００２】
電気炊飯器や電気貯湯容器等の家庭用機器には、製品を識別するための部品（例えば、ＪＡＮシール）が付設されている。製品識別部品としては、バーコードも多用されている。
【０００３】
例えば、家庭用機器の一種である電気炊飯器の場合、特許文献１にも開示されているように、米と水とを収容する内鍋を取出自在に収納する器体と、前記内鍋を加熱する加熱手段と、前記内鍋の底面中央部の温度を検出する温度センサーとを備えて構成される一方、製品を識別するための部品（例えば、製品識別用タグ）は、電気炊飯器を梱包する個装箱に付設されることとなっている。
【０００４】
【特許文献１】特開２００２−１１２８８８号公報
【発明の開示】
【発明が解決しようとする課題】
【０００５】
ところが、従来の製品識別用タグは、単に製品を識別する機能のみしか有しておらず、アフターケア対応時における情報収集には、愛用者カード、電話あるいはインターネットが利用されているが、経費がかさむという不具合があった。
【０００６】
近年、情報蓄積量の大きなＩＣチップをタグに利用したＩＣタグ（電子荷札）の開発が進み、実用化されてきている。
【０００７】
本願発明は、上記の点に鑑みてなされたもので、ＩＣタグをアフターケア時あるいは再生時の情報収集に利用することにより、情報収集の簡略化、コストダウンを図ることを目的とするものである。
【課題を解決するための手段】
【０００８】
本願発明では、上記課題を解決するための第１の手段として、製品の適所に、ＩＣタグを設けるとともに、該ＩＣタグに、ユーザの使用情報を記憶する記憶手段を付設している。
【０００９】
上記のように構成したことにより、製品に設けられたＩＣタグにユーザの使用情報（例えば、購入年月日、使用回数等）を記憶させることができることとなり、アフターケア時等に製品がメーカーへ返却された時に前記使用情報を適当な読み取り器で読み出すだけで、ユーザの使用情報を収集蓄積することができる。
【００１０】
本願発明では、上記課題を解決するための第２の手段として、メーカーへの返却用手段に、ＩＣタグを設けるとともに、該ＩＣタグに、ユーザの使用情報を記憶する記憶手段を付設している。
【００１１】
上記のように構成したことにより、メーカーへの返却用手段（例えば、愛用者カード等）に設けられたＩＣタグにユーザの使用情報（例えば、購入年月日、使用回数等）を記憶させることができることとなり、返却用手段がメーカーへ返却された時に前記使用情報を適当な読み取り器で読み出すだけで、ユーザの使用情報を収集蓄積することができる。
【００１２】
本願発明では、上記課題を解決するための第３の手段として、製品とＩＣタグとを同梱するとともに、該ＩＣタグに、地域情報を記憶する記憶手段を付設している。
【００１３】
上記のように構成したことにより、ＩＣタグに、販売店での読み取り時に地域情報（例えば、販売地域等）を記憶させることができることとなり、アフターケア対応の返品時に前記地域情報を適当な読み取り器で読み出すだけで、地域情報を収集蓄積することができる。
【００１４】
本願発明では、上記課題を解決するための第４の手段として、製品とＩＣタグとを同梱するとともに、該ＩＣタグに、販売店情報を記憶する記憶手段を付設している。
【００１５】
上記のように構成したことにより、ＩＣタグに、販売店での読み取り時に販売店情報（例えば、販売個数、住所等）を記憶させることができることとなり、アフターケア対応の返品時に前記販売店情報を適当な読み取り器で読み出すだけで、販売店情報を収集蓄積することができる。
【００１６】
本願発明では、上記課題を解決するための第５の手段として、製品の付属部品であって再利用可能な部品に、ＩＣタグを設けるとともに、該ＩＣタグに、再生回数を記憶する記憶手段を付設している。
【００１７】
上記のように構成したことにより、ＩＣタグに、再生回数を記憶させることにより、次回再生時にこの再生回数をＩＣタグから読み取ることにより、再生回数が耐用再生回数を超えた場合には再生を行わず廃棄処分とすることができる。従って、耐用再生回数を超えたものが市場に出回るのを未然に防止することができることとなる。
【発明の効果】
【００１８】
本願発明の第１の手段によれば、製品の適所に、ＩＣタグを設けるとともに、該ＩＣタグに、ユーザの使用情報を記憶する記憶手段を付設して、製品に設けられたＩＣタグにユーザの使用情報（例えば、購入年月日、使用回数等）を記憶させることができるようにしたので、アフターケア時等に製品がメーカーへ返却された時に前記使用情報を適当な読み取り器で読み出すだけで、ユーザの使用情報を収集蓄積することができることとなり、ユーザ使用情報の収集の簡略化およびコストダウンを図ることができるという効果がある。
【００１９】
本願発明の第２の手段によれば、メーカーへの返却用手段に、ＩＣタグを設けるとともに、該ＩＣタグに、ユーザの使用情報を記憶する記憶手段を付設して、メーカーへの返却用手段（例えば、愛用者カード等）に設けられたＩＣタグにユーザの使用情報（例えば、購入年月日、使用回数等）を記憶させることができるようにしたので、返却用手段がメーカーへ返却された時に前記使用情報を適当な読み取り器で読み出すだけで、ユーザの使用情報を収集蓄積することができることとなり、ユーザ使用情報の収集の簡略化およびコストダウンを図ることができるという効果がある。
【００２０】
本願発明の第３の手段によれば、製品とＩＣタグとを同梱するとともに、該ＩＣタグに、地域情報を記憶する記憶手段を付設して、製品と同梱のＩＣタグに、販売店での読み取り時に地域情報（例えば、販売地域等）を記憶させることができるようにしたので、アフターケア対応の返品時に前記地域情報を適当な読み取り器で読み出すだけで、地域情報を収集蓄積することができることとなり、地域情報の収集の簡略化およびコストダウンを図ることができるという効果がある。
【００２１】
本願発明の第４の手段によれば、製品とＩＣタグとを同梱するとともに、該ＩＣタグに、販売店情報を記憶する記憶手段を付設して、ＩＣタグに、販売店での読み取り時に販売店情報（例えば、販売個数、住所等）を記憶させることができるようにしたので、アフターケア対応の返品時に前記販売店情報を適当な読み取り器で読み出すだけで、販売店情報を収集蓄積することができることとなり、販売店情報の収集の簡略化およびコストダウンを図ることができるという効果がある。
【００２２】
本願発明の第５の手段によれば、製品の付属部品であって再利用可能な部品に、ＩＣタグを設けるとともに、該ＩＣタグに、再生回数を記憶する記憶手段を付設して、ＩＣタグに、再生回数を記憶させることができるようにしたので、次回再生時にこの再生回数をＩＣタグから読み取ることにより、再生回数が耐用再生回数を超えた場合には再生を行わず廃棄処分とすることができることとなり、耐用再生回数を超えたものが市場に出回るのを未然に防止することができるという効果がある。
【発明を実施するための最良の形態】
【００２３】
以下、添付の図面を参照して、本願発明の幾つかの好適な実施の形態について詳述する。
【００２４】
まず、以下の各実施の形態において使用されるＩＣタグおよび送受信ユニットの構成について、図１を参照して説明する。
【００２５】
製品Ｍ側にセットされるＩＣタグ１は、電源回路１ｂと、無線周波数（ＲＦ）回路（ワイヤレス送受信回路）１ｃと、変調回路１ｄと、復調回路１ｅと、ＣＰＵ１ｆと、該ＣＰＵ１ｆに対して入出力可能に接続され、製品識別情報が記憶されているメモリ１ａとを有して構成されている。
【００２６】
前記電源回路１ｂは、蓄電池として作用するコンデンサ（図示省略）を内蔵しており、このコンデンサは、コイル型の第１の送受信アンテナ３とともに共振回路を形成している。このコンデンサには、第１の送受信アンテナ３が特定の周波数の電波（前述の共振回路が共振する周波数の電波）を受信したときに、その相互誘導作用により生じる電力が充電されるようになっている。そして、この電源回路１ｂは、前記コンデンサからの電力を整流し安定化してＣＰＵ１ｆに供給し、ＩＣタグ１を活性化することとなっている。また、前記第１の送受信アンテナ３は、例えば複数枚の軟磁性アモルファス箔又は複数枚の金属箔を耐熱性樹脂又は耐熱性無機材料からなる絶縁層を介して積層してなる磁芯部材３ａと、該磁芯部材３ａの外周に巻成された耐熱性被覆導線３ｂとからなっており、耐熱性の高いものとされている。
【００２７】
また、前記メモリ１ａは、例えばＲＯＭ、ＲＡＭおよびＥＥＰＲＯＭを含み、ＣＰＵ１ｆの制御の下で、後述する送受信ユニット２からの送信電波のデジタル・データ通信による読み出しコマンドに応じて、前記メモリ１ａに記憶されている製品識別情報等の読み出しを行うとともに、必要に応じ、送受信ユニット２からの書き込みコマンドに応じて必要なデータの書き込みを行うことができるようになっている。
【００２８】
なお、前記ＩＣタグ１および第１の送受信アンテナ３は、所定の耐熱プラスチックケース内にパッケージングされて、製品の適所にセットされているが、同プラスチックケースは、例えばポリイミド、エポキシ、ポリフェニールスルフォイド又はフェノールのような耐熱性の高い合成樹脂により形成され、例えば１５０℃〜２５０℃の高温下でも使用可能となっている。
【００２９】
上記したように、製品識別情報等のメモリ、ワイヤレス送信機能等を有して構成されたＩＣタグ１は、それに対応して読み取り器Ｙ側（あるいは／および製品の適所）に配設された送受信ユニット３とワイヤレスに送受信可能に構成されている。
【００３０】
前記送受信ユニット３は、前記ＩＣタグ１側に記憶された製品識別情報等を読み出して、読み取り器Ｙ側（あるいは／および製品側）のマイコンに転送して入力するとともに、ＩＣタグ１側のメモリ１ａ内に必要な情報を書き込むように構成されており、前記第１の送受信アンテナ３と相互誘導作用する同じくコイル型の第２の送受信アンテナ４が受信した電波データを処理するデータ処理回路部を有する。第２の送受信アンテナ４は、前記ＩＣタグ１側の第１の送受信アンテナ３に対して所定の電波を送信し、且つＩＣタグ１側の第１の送受信アンテナ３からの所定の電波を受信するように構成されている。また、データ処理回路部は、前記第２の送受信アンテナ４に接続されており、バッテリを内蔵する電源回路２ａと、無線周波数（ＲＦ）回路（ワイヤレス送受信回路）２ｂと、変調回路２ｃと、復調回路２ｄと、ＣＰＵ２ｅと、該ＣＰＵ２ｅに対して入出力可能に接続され、前記ＩＣタグ１のメモリ１ａから読み取った情報（製品識別情報等）を記憶するメモリ２ｆとを有して構成されている。
【００３１】
前記ＩＣタグ１中のメモリ１ａに記憶された製品識別情報の読み出しは、前記送受信ユニット２側の第２の送受信アンテナ４から前記ＩＣタグ１側の第１の送受信アンテナ３に向けて２値化されたデジタル・データ信号を特定周波数の電波により送信することにより行われる。このデジタル・データ信号は、変調回路２ｃで変調を受け、ＲＦ回路２ｂで増幅されて第２の送受信アンテナ４から送信される。該送信された電波は、ＩＣタグ１側の第１の送受信アンテナ３により受信され、この受信時のアンテナコイル間の相互誘導作用により電源回路１ｂの蓄電用コンデンサに電力が充電される。そして、この充電電力は、電源回路１ｂからＣＰＵ１ｆに動作電力として供給され、ＩＣタグ１を活性化して、ＲＦ回路１ｃを作動させる。
【００３２】
そして、ＩＣタグ１側のＣＰＵ１ｆは、この受信信号（読み出しコマンド信号）に基づいて、前記メモリ１ａに記憶されている製品識別情報をデータとして送信する。この製品識別情報データの送信は、上記同様に２値化されたデジタル・データ信号を変調回路１ｄで変調した後、ＲＦ回路１ｃで増幅することによって第１の送受信アンテナ３から送出することにより行われる。この送信されたデジタル・データは、送受信ユニット２側の第２の送受信アンテナ４で受信され、前記データ処理回路部でデータ処理されて、読み取り器Ｙ側のマイコンに転送される。これにより、適切な製品識別が実現される。
【００３３】
また、前記送受信ユニット２側のＣＰＵ２ｅの入力ゲートには、入力装置（入力回路）２ｇが接続されており、所定の外部入力手段（例えば、読み取り器Ｙ）からの必要な追加情報が入力装置２ｇを介して入力され、ＣＰＵ２ｅ、ＲＦ回路２ｂを通してＩＣタグ１側のメモリ１ａに書き込まれるようになっている。
【００３４】
第１の実施の形態
図２には、本願発明の第１の実施の形態にかかる家庭用機器の一例である電気炊飯器が示されている。
【００３５】
この電気炊飯器Ｍ1は、内部に炊飯用の内鍋（図示省略）が取出自在に収納される炊飯器本体５と、該炊飯器本体５の上部開口を開閉する蓋体６とを備えて構成されており、前記炊飯器本体５の前面には、液晶表示装置６および各種スイッチ類７を有する操作パネル部８が設けられている。
【００３６】
この電気炊飯器においては、炊飯器本体５の前面下部に前記ＩＣタグ１が設けられている。
【００３７】
ついで、図３に示す電気回路図に基づいて、上記電気炊飯器Ｍ1における電気的構成を説明する。
【００３８】
商用交流電源９からの電力は、内鍋の異常加熱を検知して溶断する温度ヒューズ１０および整流回路１１を経て内鍋加熱手段として作用するＩＨコイル１２に供給されることとなっている。符号１３は平滑コンデンサ、１４は共振コンデンサである。
【００３９】
前記ＩＨコイル１２には、マイクロコンピュータユニット（以下、マイコンと略称する）１５からＩＧＢＴドライブ回路１６を経た指令によりそれぞれＯＮ／ＯＦＦ制御されるパワートランジスタ１７からの制御信号が与えられることとなっている。
【００４０】
前記マイコン１５は、所定のプログラムに従ってパワートランジスタ１７の制御を行い、これによりＩＨコイル１２への通電を制御する。また、マイコン１５は、ヒータ駆動回路１８を介して保温ヒータ１９への通電を制御する。これらの通電制御は、温度センサー２０からの出力信号に基づいて行なわれる。なお、ＩＣタグ１からの出力信号は、制御基板２１にセットされた送受信ユニット２を介してマイコン１５に入力されることとなっている。
【００４１】
前記ＩＣタグ１には、例えば、電気炊飯器Ｍ1の購入年月日、使用回数（例えば、炊飯回数、メニュー等）および停止時間等のユーザ使用情報、地域情報（例えば、販売地域等）および販売店情報（例えば、住所等）が記憶されるが、ユーザ使用情報としての購入年月日、地域情報および販売店情報は、販売店での購入時において読み取り器により行われ、ユーザ使用情報としての使用回数、メニューおよび停止時間は、マイコン１５からの信号を送受信ユニット２を介して入力することにより行われる。
【００４２】
このようにすると、アフターケア時等に製品がメーカーへ返却された時に前記使用情報を適当な読み取り器で読み出すだけで、ユーザの使用情報を収集蓄積することができることとなり、ユーザ使用情報の収集の簡略化およびコストダウンを図ることができる。
【００４３】
第２の実施の形態
図４には、本願発明の第２の実施の形態にかかる家庭用機器の一例である電気炊飯器の梱包状態が示されている。
【００４４】
この場合、電気炊飯器Ｍ1と愛用者カードＣとは、同一の個装箱２２に同梱されており、前記愛用者カードＣにＩＣタグ１が付設されている。このようにすると、ユーザ使用情報およびアンケート情報をＩＣタグ１に記憶させることができる。従って、愛用者カードＣがメーカーへ返却された時に、ユーザ使用情報およびアンケート情報を適当な読み取り器で読み出すだけで、ユーザ使用情報およびアンケート情報を収集蓄積することができることとなり、ユーザ使用情報およびアンケート情報の収集の簡略化およびコストダウンを図ることができる。なお、愛用者カードＣにおけるアンケートは、例えば、マークシート方式とし、このマークシートの回答をＩＣタグに読み込むようにする。
【００４５】
ところで、電気炊飯器Ｍ1を梱包する個装箱２２内に、ＩＣタグ１単体を同梱する場合もあり、その場合、ＩＣタグに、販売店での読み取り時に地域情報（例えば、販売地域等）および販売店情報（例えば、住所等）を記憶させることができる。このようにすると、アフターケア対応の返品時に前記地域情報および販売店情報を適当な読み取り器で読み出すだけで、地域情報および販売店情報を収集蓄積することができることとなり、地域情報および販売店情報の収集の簡略化およびコストダウンを図ることができる。
【００４６】
第３の実施の形態
図５および図６には、本願発明の第３の実施の形態にかかる家庭用機器の一例である加湿器が示されている。
【００４７】
この加湿器Ｍ2は、図５に示すように、水タンク２３と、該水タンク２３に隣接する空気取り入れ箱２４と、該空気取り入れ箱２４に隣接する加湿器本体２５と、前記水タンク２３内に収容された水Ｗを前記加湿器本体２５に導く導水管２６とからなっており、前記空気取り入れ箱２４内には、プレフィルター２７と取り入れられた空気を加熱するためのヒータ２８とが内蔵され、前記加湿器本体２５内には、前記導水管２６を介して供給される水Ｗを吸水する吸水フィルター２９と該吸水フィルター２９の下流側に配設される送風ファン３０とが内蔵されている。
【００４８】
この加湿器Ｍ2においては、水タンク２３から導水管２６を介して供給された水Ｗを吸水フィルター２９に吸水し、空気取り入れ箱２４に取り入れられ、プレフィルター２７で塵埃除去され、且つヒータ２８で加熱された空気を送風ファン３０の吸引力で吸引し、吸水フィルター２９を通過する過程で蒸発する水蒸気により加湿された加湿空気Ｆを空気吹出口３１から室内へ吹き出すことにより室内を加湿することとなっている。
【００４９】
そして、前記空気取り入れ箱２４内には、前述のＩＣタグ１と、該ＩＣタグ１とワイヤレス交信可能であって制御基板３２に付設された送受信ユニット２とが配設されている。この場合、ＩＣタグ１は、製品識別機能を備えている。
【００５０】
ついで、図６に示す電気回路図に基づいて、上記加湿器Ｍ2における電気的構成を説明する。
【００５１】
商用交流電源３３からの電力は、ヒータ駆動回路３４およびファン駆動回路３５を経てヒータ２８および送風ファン３０にそれぞれ供給されることとなっている。
【００５２】
マイコン３６は、所定のプログラムに従って、前記ヒータ駆動回路３４およびファン駆動回路３５を介してヒータ２８および送風ファン３０への通電を制御する。これらの通電制御は、温度センサー３８および湿度センサー３９からの出力信号に基づいて行なわれる。また、ＩＣタグ１は、制御基板３２にセットされた送受信ユニット２とワイヤレス交信されることとなっている。符号３７は運転スイッチである。
【００５３】
上記のように構成された加湿器の場合、ＩＣタグ１には、該ＩＣタグ１により検知された温度および湿度のデータが書き込めることとなっており、書き込んだデータの読み取りは、アフターケア時に返品にて返却されたとき、又は愛用者カードにて返却されたときに行われる。このようにすると、センサーでの自動運転時にどれだけバラツキが少なく検知できているかを確認することができる。また、実際の温度、湿度データをたくさんとることができるので、次回商品への特徴付けの資料となり、付加機能開発へとつなげることができる。
【００５４】
ところで、前記ＩＣタグ１には、上記機能に加えて、ユーザ使用情報、地域情報、販売店情報等を読み込むことができることとなっており、アフターケア時等において返品された時に、前記各種情報の読み取りをメーカー側においてできるようにもなっている。
【００５５】
さらに、ＩＣタグを使用したことで、各輸送ポイント等で、それぞれの製品がどの地域で使用されるかを推測することが可能となる（各販売店にて地域の情報を読み込ませることも可能となる）。そこで、天気予報等の環境情報を通信手段により入手し、環境情報と連動した運転モードを設けて、それぞれの地域の予報に合わせて予防運転を行うことも可能となる。例えば、加湿器の場合、乾燥注意報発令に連動して運転させるようにすることも可能である。この場合、手動による地域情報設定モードを設けるようにしてもよい。
【００５６】
また、除湿器の場合、高湿度注意報の発令に連動して運転させるようにすることも可能となり、空気清浄機の場合、花粉飛散注意報の発令に連動して運転させるようにすることも可能となる。
【００５７】
第４の実施の形態
図７には、本願発明の第４の実施の形態にかかる家庭用機器の一例であるカセットコンロに使用されるカセットコンロ用ボンベが示されている。
【００５８】
カセットコンロにおいて使用されるカセットコンロ用ボンベは、回収した後、ガスを再充填して再使用されることがある。
【００５９】
そこで、本実施の形態においては、ボンベＭ3の外側面に前述したＩＣタグ１が取り付けられる。該ＩＣタグ１は、製品識別機能を有しているが、再生回数の書き込みを行い得るように構成されている。
【００６０】
ボンベの再生工程ラインＬは、図８に示すように、ボンベを回収する回収工程Ｋ1と、回収されたボンベの再生回数を読み取り器Ｙ1により読み取る再生回数読み取り工程Ｋ2と、回収されたボンベに対してガスの再充填を行うガス再充填工程Ｋ3と、梱包工程Ｋ4とからなっており、ガス再充填工程Ｋ3においては、読み取り器Ｙ2によってＩＣタグ１に再生回数の書き込みが行われることとなっている。ところで、再生回数読み取り工程Ｋ2においてＩＣタグ１から読み取られた再生回数が耐用再生回数を超えた場合には再生を行わず廃棄処分とすることとなっている。このようにすると、耐用再生回数を超えたものが市場に出回るのを未然に防止することができる。
【００６１】
ところで、本願発明においては、ＩＣタグに書き込まれるユーザの使用情報は、上書きされて最新の情報が記憶されるが、ＩＣタグの容量がオーバーする場合には、販売店情報又は／およびアンケート情報は保持されたままで、ユーザ使用情報のみが上書き変更されることとなっている。
【００６２】
なお、本願発明は、上記各実施の形態に限定されるものではなく、その他の家庭用機器にも適用可能なことは勿論である。
【図面の簡単な説明】
【００６３】
【図１】本願発明の各実施の形態にかかる家庭用機器に用いられるＩＣタグおよび送受信ユニットの回路構成図である。
【図２】本願発明の第１の実施の形態にかかる家庭用機器の一例である電気炊飯器の正面図である。
【図３】本願発明の第１の実施の形態にかかる家庭用機器の一例である電気炊飯器における電気的要素の結線回路図である。
【図４】本願発明の第２の実施の形態にかかる家庭用機器の一例である電気炊飯器の梱包時の状態を示す正面図である。
【図５】本願発明の第３の実施の形態にかかる家庭用機器の一例である加湿器の概略構成図である。
【図６】本願発明の第３の実施の形態にかかる家庭用機器の一例である加湿器における電気的要素の結線回路図である。
【図７】本願発明の第４の実施の形態にかかる家庭用機器の一例であるカセットコンロに用いられるボンベの正面図である。
【図８】本願発明の第４の実施の形態にかかる家庭用機器の一例であるカセットコンロに用いられるボンベの再生工程ラインを示すブロック図である。
【符号の説明】
【００６４】
１はＩＣタグ
１ａは記憶手段（メモリ）
２は送受信ユニット
Ｃは返却用手段（愛用者カード）
Ｍ1，Ｍ2，Ｍ3は製品（電気炊飯器、湯沸かしポット、カセットコンロ用ボンベ）
【図１】
2005168965.tif 000003
【図２】
2005168965.tif 000004
【図３】
2005168965.tif 000005
【図４】
2005168965.tif 000006
【図５】
2005168965.tif 000007
【図６】
2005168965.tif 000008
【図７】
2005168965.tif 000009
【図８】
2005168965.tif 000010